(57)【特許請求の範囲】
【請求項１】
間隙を隔てて配された建築躯体にそれぞれ支持材を固定し、支持材の表側には額縁材を取り付け、上記両建築躯体の支持材と額縁材とによって上記間隙を覆うカバー材を挟持したエキスパンションジョイントにおいて、
上記支持材は上記建築躯体の表面に固定されかつ額縁材の取付位置の位置決め部を備えた固定縁と、この固定縁から延出されて先端が上記カバー材の裏面に当接して支持する鈎縁とを備え、
上記額縁材は、上記位置決め部を受ける受け部を有し、上記鈎縁の先端と対向する位置に延出されて上記カバー材の表面に気密材を介して当接する取付縁と、取付縁から略Ｌ字状に延出されて建築躯体の表面を覆う仕上げ材の端部を覆いかつこの仕上げ材の表面に当接して支持する額縁とを備え、
上記支持材の位置決め部と前記額縁材の受け部のいずれか一方には係止溝を、他方には係止縁を形成し、上記係止縁をバネ状クリップを介して上記係止溝に抜け出し不可能に挿入係止した
ことを特徴とするエキスパンションジョイント。
【請求項２】
間隙を隔てて配された建築躯体にそれぞれ支持材を固定し、支持材の表側には額縁材を取り付け、上記両建築躯体の支持材と額縁材とによって上記間隙を覆うカバー材を挟持したエキスパンションジョイントにおいて、
上記支持材は上記建築躯体の表面に固定されかつ額縁材の取付位置の位置決め部を備えた固定縁と、この固定縁から延出されて先端が上記カバー材の裏面に当接して支持する鈎縁とを備え、
上記額縁材は、上記位置決め部を受ける受け部を有し、上記鈎縁の先端と対向する位置に延出されて上記カバー材の表面に気密材を介して当接する取付縁と、取付縁から略Ｌ字状に延出されて建築躯体の表面を覆う仕上げ材の端部を覆いかつこの仕上げ材の表面に当接して支持する額縁とを備え、
上記支持材の位置決め部と上記額縁材の受け部のいずれか一方には係止溝を、他方には係止縁を形成し、上記係止縁を上記係止溝に抜け出し不可能に挿入係止した
ことを特徴とするエキスパンションジョイント。
【請求項３】
間隙を隔てて配された一方の建築躯体の平面部に対し、他方の建築躯体の角隅部が対向して入隅部を構成している、請求項１又は２記載のエキスパンションジョイント。
【請求項４】
前記気密材は前記額縁材に形成されたあり溝に取り付けられ
ている、請求項１又は２記載のエキスパンションジョイント。
【請求項５】
前記鈎縁において前記カバー材の裏面に当接する部位にはクッション材を設けた請求項１又は２記載のエキスパンションジョイント。
ント。
【請求項６】
前記支持材の位置決め部は山形又は谷形であり、前記額縁材の受け部は谷形又は山形である、請求項１又は２記載のエキスパンションジョイント。
【請求項７】
少なくとも一方の前記支持材には複数の位置決め部を形成し、前記額縁材を、前記カバー材の厚みに応じて、上記支持材のいずれかの位置決め部を選択して位置決めした、請求項１又は２記載のエキスパンションジョイント。
【請求項８】
前記カバー材の表面側を前記仕上げ材と同じ仕上げ材で構成するとともに、上記カバー材の両側端面には額縁を取り付けた、請求項１又は２記載のエキスパンションジョイント。
【請求項９】
前記カバー材の一方の端部と前記支持材又は額縁材とを回動可能に係合させた、請求項１又は２記載のエキスパンションジョイント。
【発明の詳細な説明】
【０００１】
【発明の属する技術分野】
本発明は間隙を隔てて配された建築躯体間に上記間隙をカバー材で覆うエキスパンションジョイントに関する。
【０００２】
【従来技術とその問題点】
一般に、間隙を隔てて建築躯体を配する場合、上記間隙から外気が進入する可能性があり、また内外観も損なわれるので、エキスパンションジョイントのカバー材によって上記間隙を塞ぐことが行なわれている。
【０００３】
ところが、間隙だけをカバー材で塞ぐと、その両側部分とのデザイン的なバランスがよくないことがある。たとえば、両側の建築躯体が天井躯体である場合は、カバー材の両側には天井材が配置され、この天井材とカバー材とは天井躯体の表面から同じ間隔をおいて配設されているから、天井材とカバー材とはバランスさせることができる。しかし、両側の建築躯体が壁躯体である場合、従来は壁躯体の表面は露出される場合が多く、せいぜい壁紙や壁クロスを張る程度であったから、壁躯体の表面に直接貼着される壁紙や壁クロスと、壁躯体の表面から間隔をおいて配設されるカバー材とはうまくバランスさせることができなかった。同様の問題は、一方が天井躯体、他方が壁躯体の場合にも存在する。
【０００４】
【発明が解決しようとする課題】
本発明は上記問題点を解消し、カバー材と建築躯体間の間隙との間のカバー材と建築躯体の仕上げ材とをバランスさせることができるエキスパンションジョイントを提供することをその課題とする。
【０００５】
【課題を解決するための手段】
前記課題を解決するため、本発明に係るエキスパンションジョイントは、間隙を隔てて配された建築躯体にそれぞれ支持材を固定し、支持材の表側には額縁材を取り付け、上記両建築躯体の支持材と額縁材とによって上記間隙を覆うカバー材を挟持したエキスパンションジョイントにおいて、上記支持材は上記建築躯体の表面に固定されかつ額縁材の取付位置の位置決め部を備えた固定縁と、この固定縁から延出されて先端が上記カバー材の裏面に当接して支持する鈎縁とを備え、上記額縁材は、上記位置決め部を受ける受け部を有し、上記鈎縁の先端と対向する位置に延出されて上記カバー材の表面に気密材を介して当接する取付縁と、取付縁から略Ｌ字状に延出されて建築躯体の表面を覆う仕上げ材の端部を覆いかつこの仕上げ材の表面に当接して支持する額縁とを備え、上記支持材の位置決め部と前記額縁材の受け部のいずれか一方には係止溝を、他方には係止縁を形成し、上記係止縁をバネ状クリップを介して上記係止溝に抜け出し不可能に挿入係止したことを特徴とする。
【０００６】
なお、上記エキスパンションジョイントは、間隙を隔てて配された建築躯体にそれぞれ支持材を固定し、支持材の表側には額縁材を取り付け、上記両建築躯体の支持材と額縁材とによって上記間隙を覆うカバー材を挟持したエキスパンションジョイントにおいて、上記支持材は上記建築躯体の表面に固定されかつ額縁材の取付位置の位置決め部を備えた固定縁と、この固定縁から延出されて先端が上記カバー材の裏面に当接して支持する鈎縁とを備え、上記額縁材は、上記位置決め部を受ける受け部を有し、上記鈎縁の先端と対向する位置に延出されて上記カバー材の表面に気密材を介して当接する取付縁と、取付縁から略Ｌ字状に延出されて建築躯体の表面を覆う仕上げ材の端部を覆いかつこの仕上げ材の表面に当接して支持する額縁とを備え、上記支持材の位置決め部と上記額縁材の受け部のいずれか一方には係止溝を、他方には係止縁を形成し、上記係止縁を上記係止溝に抜け出し不可能に挿入係止したことを特徴とする。
【０００７】
また、上記エキスパンションジョイントは、間隙を隔てて配された一方の建築躯体の平面部に対し、他方の建築躯体の角隅部が対向して入隅部を構成している場合にも適用できる。
【０００８】
また、前記気密材は前記額縁材に形成されたあり溝に取り付けるのがよい。
【０００９】
前記鈎縁において前記カバー材の裏面に当接する部位にはクッション材を設けるのがよい。
【００１０】
前記支持材の位置決め部と前記額縁材の受け部のいずれか一方には係止溝を、他方には係止縁を形成し、上記係止縁をバネ状クリップを介して上記係止溝に抜け出し不可能に挿入係止する構成にしてもよい。
【００１１】
また、前記支持材の位置決め部と前記額縁材の受け部にはそれぞれ１対の係止部を形成し、これらの係止部を弾性的に係止するようにしてもよい。
【００１２】
前記支持材の位置決め部は山形又は谷形であり、前記額縁材の受け部は谷形又は山形であるのが好ましい。
【００１３】
少なくとも一方の前記支持材には複数の位置決め部を形成し、前記額縁材を、前記カバー材の厚みに応じて、上記支持材のいずれかの位置決め部を選択して位置決めするようにしてもよい。
【００１４】
また、前記カバー材の表面側を前記仕上げ材と同じ仕上げ材で構成するとともに、上記カバー材の両側端面には額縁を取り付けるようにしてもよい。
【００１５】
前記カバー材の一方の端部と前記支持材又は額縁材とを回動可能に係合させるようにしてもよい。
【００１６】
【発明の実施の形態】
図１において符号１、２はそれぞれ建築躯体で、この建築躯体１、２は例えば屋内又は屋外の壁躯体で間隙Ｓを隔てて配置され、間隙Ｓにはエキスパンションジョイントが配設され、上記間隙Ｓはそのカバー材３によって覆われている。カバー材３は上記両壁躯体１、２に取り付けられた支持材４と額縁材５とによって挟持されている。
【００１７】
支持材４は上記建築躯体１、２の表面にボルト６で固定されかつ額縁材５の取付位置の位置決め部７を備えた固定縁８と、この固定縁８から延出されて先端が上記カバー材３の裏面に当接して支持する鈎縁９とを備えている。位置決め部７はＶ字状（Ｕ字状、Ｃ字状でもよい）に形成され、また鈎縁９は上記間隙Ｓ側に配置されている。さらに、上記固定縁８の中間からは外方に開口する係止溝部１０が形成されている。
【００１８】
額縁材５は、先端が支持材４の上記位置決め部７に係合するとともに上記鈎縁９の先端と対向する位置に延出されたＬ形の取付縁１１と、取付縁１１から逆側に屈曲して延出された略Ｌ字状の額縁１２とを備えている。取付縁１１の中間からは係止突縁１３が突出形成されている。額縁材５を取り付けるときは、上記取付縁１１の端部の受け部７Ａは支持材４の位置決め部７に係合して支持材４に対する位置を決め、次に係止突縁１３を図２(a) に示すバネ状クリップ１４を介して同図(b) のように係止溝部１０に係止固定している。クリップ１４は図２に示すように、Ｕ状に形成した金属バネ板１４ａに係止片１４ｂ、１４ｃを形成し、係止突縁１３が係止溝部１０から抜け出さないようにするものである。
【００１９】
カバー材３は壁躯体１、２間の間隔Ｓを覆う程度の大きさの幅を有し、両側端は外れ防止のため壁躯体１、２側に屈曲している。カバー材３は額縁材５を取り付ける際に支持材４と額縁材５との間に摺動可能に挟持させればよい。なお、中央の突縁は左右に摺動しすぎるのを防止するためのものである。
【００２０】
次に、壁躯体１、２には間隔をおいて木材、金属材等から成る仕上げ材１６が配置され、壁躯体１、２の表面を覆っている。１７は仕上げ材１６の下地材となるセメントである。上記額縁材５の額縁１２が仕上げ材１６の端部を覆いかつこの仕上げ材１６の表面に当接して支持している。
【００２１】
ところで、上記額縁材５において、取付縁１１と額縁１２との連結部にはあり溝１８が形成され、このあり溝１８には気密材１５が取り付けられている。そして、気密材１５は上記カバー材３の表面に当接している。
【００２２】
上記構成によれば、不同沈下、震動、温度変化等によって両側の建築躯体１、２が異なる方向に変動した場合、カバー材３は支持材４と額縁材５との間を摺動して上記変動に追従することができる。
【００２３】
また、カバー材３は額縁材５の気密材１５に当接しているから、内外の気密が良好に保持され、外気や塵が進入することが良好に防止される。
【００２４】
さらに、壁躯体に仕上げ材１６を配設することにより、仕上げ材１６の美観を向上し、取付施工を容易にすることができる。
【００２５】
なお、係止溝部１０は第２の位置決め部、係止突縁１３は第２の受け部としても機能する。次に示す図３の例も同様である。
【００２６】
次に、図３は、図１に示した一方の壁躯体１に対して他方の壁躯体２ａが間隙Ｓをおいて直角に配された場合のように、上記エキスパンションジョイント構成を入隅部に適用した場合の例で、上記一方の壁躯体１側の支持材４、額縁材５、カバー材３は図１と同じであり、これに直角に面した壁躯体２ａ側にも、支持材４と額縁材５とによってカバー材３を挟持している。
【００２７】
支持材４は上記建築躯体１、２の表面にボルト６で固定されかつ額縁材５の取付位置の位置決め部７を備えた固定縁８と、この固定縁８から延出されて先端が上記カバー材３の裏面に当接して支持する鈎縁９とを備えている。位置決め部７は山形に形成され、また鈎縁９は上記間隙Ｓ側に配置されている。さらに、上記固定縁８の中間からは外方に開口する係止溝部１０が形成されている。
【００２８】
額縁材５は、先端が支持材４の上記位置決め部７に係合するとともに上記鈎縁９の先端と対向する位置に延出されたＬ形の取付縁１１と、取付縁１１から逆側に屈曲して延出された略Ｌ字状の額縁１２とを備えている。取付縁１１の中間からは係止突縁１３が突出形成されている。額縁材５を取り付けるときは、上記取付縁１１の端部の受け部１１ａは支持材４の位置決め部７に係合して支持材４に対する位置を決め、次に係止突縁１３を図２に示したバネ状クリップ１４を介して係止溝部１０に係止固定している。
【００２９】
カバー材３は壁躯体１、２ａ間の間隔を覆う程度の大きさの幅を有し、両側端は壁躯体２ａ側に屈曲している。カバー材３は額縁材５を取り付ける際に支持材４と額縁材５との間に摺動可能に挟持させればよい。
【００３０】
壁躯体１、２ａには間隔をおいて仕上げ材１６が配置され、壁躯体１、２ａの表面を覆っている。１７は下地材用セメントである。上記額縁材５の額縁１２が仕上げ材１６の端部を覆いかつこの仕上げ材１６の表面に当接して支持している。
【００３１】
また、上記額縁材５において、取付縁１１と額縁１２との連結部にはあり溝１８が形成され、このあり溝１８には気密材１５が取り付けられている。そして、気密材１５は上記カバー材３の表面に当接している。
【００３２】
上記の入隅部に適用したエキスパンションジョイントの構成によっても、カバー材３が不同沈下、震動等に追従できるほか、カバー材３は額縁材５の気密材１５に当接しているから、内外の気密が良好に保持され、外気や塵が進入することが良好に防止される。
【００３３】
さらに、壁躯体１、２ａに仕上げ材１６を配設することにより、仕上げ材１６の美観を向上し、取付施工を容易にすることができる。
【００３４】
次に、上述のエキスパンションジョイントの構成は上述の例に限定されないのであって、各部を実施するにあたってはその形態にいろいろな変更を加えることができる。
【００３５】
まず、支持材４の鈎縁９については、図１及び図３に示されたもののほか、図４及び図５に示されるように、カバー材３の裏面に当接する部位（先端）にクッション材２０を設けるようにしてもよい。これによれば、支持材４の鈎縁９の先端が直接にカバー材３の表面に当たらないので、カバー材３に傷がつくのを防止できるほか、気密効果も得ることができる。
【００３６】
また、図５に示される額縁材５にはカバー材３の表面に当接する気密材１５が取り付けられている。この気密材１５は額縁材５の額縁１２の基部を円弧状に折り曲げられることによって形成された溝２１に圧入されて固定されている。気密材１５は上述のあり溝１８に限定されず、上記のような溝２１に取り付ける構成であってもよい。
【００３７】
次に、位置決め部とその受け部については、図６は、支持材４に係止突縁２３（位置決め部７）を、額縁材５に係止溝２２（受け部７Ａ）を形成するとともに、係止溝２２の一部を延出して建築躯体に当接し、上記係止突縁２３を図２に示したようなクリップ１４を介して係止溝２２に係着させた例であるが、このように位置決めするとともに固定するように構成してもよい。
【００３８】
また、天井と壁との入隅部の例においては、図７の一方の建築躯体１（天井用の種々の下地材で構成されている）に示されるように、支持材４の位置決め部７を、係止突縁２４と係止溝２５とからなる１対の係止部から構成し、額縁材５の上記位置決め部に対応する受け部７Ａを、係止突縁２６と係止突部２７とからなる１対の係止部から構成し、これらの係止部を弾性的に係止させるようにして位置決めするとともに固定するように構成してもよい。また、他方の建築躯体２ａに示されるように、支持材４に山形の位置決め部７を形成し、これに対応して額縁材５にも山形部２８（受け部７Ａ）を形成し、両者を重ねて位置決めするようにしてもよい。これに関連し、図８に示されるように、支持材４の位置決め部７を谷形とし、これに対応する額縁材５の谷形部２９を受け部７Ａとしてもよい。
【００３９】
同様に、図９に示されるように、支持材４に１対の係止部３０、３０を有するバネ材３２を固定してこれを位置決め部７とし、これに額縁材５の基部に形成した１対の係止部３１、３１（受け部７Ａ）を弾性的に係止させるようにしてもよい。なお、図９の他方の建築躯体及びその周辺は図７に示すものと同様に構成すればよい。
【００４０】
さらに、図１０に示されるように、山形の位置決め部７を２段（３段以上であってもよい）に形成し、額縁材５の受け部７Ａについては同図に示されるようにカバー材３の厚みの大小に応じてどちらかの位置決め部７を選択できるように構成してもよい。
【００４１】
次に、カバー材３については、図６、図１０及び図１１に示されるように、カバー材３の表面側を建築躯体の仕上げ材１６（ボード材、木材、タイル、石材、金属材等）と同じ仕上げ材１６で構成するとともに、カバー材３の両側端面には額縁３３を取り付けるように構成してもよい。上記カバー材３は仕上げ材の裏面に補強材や板材などのカバー補助材３５を取り付けて成るカバーユニットで、額縁３３は補助材３５にネジ止め固定されている。なお、図１０及び図１１において図示されない他方の建築躯体とその周辺は図６のように構成すればよい。
【００４２】
また、カバー材３は図１１に示されるように、一方の建築躯体２ａの額縁材５に形成された突縁３６にカバー材３に形成した係合溝３７を回転可能に係合してもよい。これによれば、不同沈下時や震動時に両側の建築躯体の高さが変化したときにはスムーズに回転して上記変化に対応することができる。なお、図６のように、カバー材３は支持材４と額縁材５に対してスライドできるように構成すればよい。
【００４３】
カバー材３の回動構成については、同様に、図１２に示されるように、一方の建築躯体２ａの支持材４の先端に形成された係合溝３８に、カバー材３の端部に形成された弯曲縁３９を係合させ、支持材４に対してカバー材３を回動するようにしてもよい。なお、この場合、他方の建築躯体とその周辺は図２のように構成し、カバー材３は支持材４と額縁材５に対してスライドできるように構成すればよい。
【００４４】
【発明の効果】
請求項１に係る発明によれば、支持材の鈎縁と額縁材の取付縁との間に建築躯体間の間隙を塞ぐカバー材を挟持するとともに、上記額縁材の額縁によって建築躯体の表面を覆う仕上げ材の端部を覆いかつこの仕上げ材の表面に当接して支持するから、カバー材と建築躯体間の間隙との間のカバー材と建築躯体の仕上げ材とをバランスさせることができる。
【００４５】
また、支持材の位置決め部と額縁材の受け部とにより位置決めが容易に行なわれるから、取付施工の手数が軽減できる。
【００４６】
さらに、額縁材の気密材はカバー材の表面に密着するから、カバー材に歪や変形があっても、外気が進入するのを有効に防止することができる。
【００４７】
さらに、支持材の位置決め部と額縁材の上記位置決め部に対応する部分のいずれか一方には係止溝を、他方には係止縁を形成し、上記係止縁をバネ状クリップを介して上記係止溝に抜け出し不可能に挿入係止したから、支持材に額縁材を固定するのにネジ等の固定手段を用いる必要がなく、作業が容易である。
【００４８】
請求項２に係る発明によれば、さらに支持材の位置決め部と前記額縁材の上記位置決め部に対応する部分にはそれぞれ１対の係止部を形成し、これらの係止部を弾性的に係止したので、支持材に額縁材を固定するのにネジ等の固定手段を用いる必要がなく、取付作業が容易である。
【００４９】
請求項３に係る発明によれば、間隙をおいて配された建築躯体が入隅部を構成する場合も、請求項１に係る発明と同様な効果を得ることができる。
【００５０】
請求項４に係る発明によれば、気密材は額縁材に形成されたあり溝に取り付けられているから、脱落の恐れがない。
【００５１】
請求項５に係る発明によれば、鈎縁においてカバー材の裏面に当接する部位にはクッション材を設けたから、支持材の鈎縁の先端が直接にカバー材の表面に当たらないので、カバー材に傷がつくのを防止できるほか、気密効果も得ることができる。
【００５２】
請求項６に係る発明によれば、支持材の位置決め部は山形又は谷形であり、前記額縁材の上記位置決め部に対応する部分は谷形又は山形であるから、嵌り合いによって容易、確実に位置決めをすることができる。
【００５３】
請求項７に係る発明によれば、少なくとも一方の前記支持材には複数の位置決め部を形成し、前記額縁材を、前記カバー材の厚みに応じて、上記支持材のいずれかの位置決め部を選択して位置決めできるので、カバー材の厚みに対応することができる。
【００５４】
請求項８に係る発明によれば、カバー材の表面側を前記仕上げ材と同じ仕上げ材で構成するとともに、上記カバー材の両側端面には額縁を取り付けたので、仕上げが統一される。
【００５５】
請求項９に係る発明によれば、カバー材の一方の端部と支持材又は額縁材とを回動可能に係合させたので、相対した建築躯体が不同沈下や震動等により相対的に上下動したときにカバー材が回動して円滑に対応することができる。
【図面の簡単な説明】
【図１】  本発明に係るエキスパンションジョイントの断面図
【図２】  (a) (b) はそれぞれクリップの斜視図及びクリップによる取付態様説明図
【図３】  入隅部に配したエキスパンションジョイントの断面図
【図４】  支持材にクッションを設けたエキスパンションジョイントの一部断面図
【図５】  カバー材をクッションと気密材との間に挟持した例を示すエキスパンションジョイントの一部断面図
【図６】  カバー材と位置決め部の他の例を示すエキスパンションジョイントの一部断面図
【図７】  位置決め部の別の例を示すエキスパンションジョイントの断面図
【図８】  位置決め部のさらに別の例を示すエキスパンションジョイントの一部断面図
【図９】  位置決め部のさらに他の例を示すエキスパンションジョイントの一部断面図
【図１０】  位置決め部の他の例を示すエキスパンションジョイントの一部断面図
【図１１】  カバー材の係止態様の一例を示すエキスパンションジョイントの一部断面図
【図１２】  カバー材の係止態様の一例を示すエキスパンションジョイントの一部断面図
【符号の説明】
３  カバー材
４  支持材
５  額縁材
７  位置決め部
９  鈎縁
１１  取付縁
１２  額縁
１６  仕上げ材
【図１】
0003660946.tif 000002
【図２】
0003660946.tif 000003
【図３】
0003660946.tif 000004
【図４】
0003660946.tif 000005
【図５】
0003660946.tif 000006
【図６】
0003660946.tif 000007
【図７】
0003660946.tif 000008
【図８】
0003660946.tif 000009
【図９】
0003660946.tif 000010
【図１０】
0003660946.tif 000011
【図１１】
0003660946.tif 000012
【図１２】
0003660946.tif 000013